(57)【特許請求の範囲】
【請求項１】
超音波診断装置であって、
超音波信号を人体内に発射し、それから反射される超音波信号をサンプリングしてサンプルデータを生成するサンプルデータ生成手段と、
前記サンプルデータを処理して、各々が対応する電力レベルを有する複数の周波数成分を有する周波数分布データを生成するサンプルデータ処理手段と、
前記周波数分布データに基づいて血流の速度を検出する血流速度検出手段と、
前記周波数分布データにおけるエイリアシングの発生可否を検出するエイリアシング検出手段とを含み、
前記エイリアシング検出手段が、前記周波数分布データを構成する複数の周波数成分の中から最も速い血流速度成分に対応する最高インデックスを求め、前記周波数分布データにおける正の周波数領域と負の周波数領域との間で周波数成分の電力レベルの和がより大きい周波数範囲を選択し、前記選択された周波数範囲の符号と前記最高インデックスの符号とを比較して、前記エイリアシングの発生有無を判定する超音波診断装置。
【請求項２】
エイリアシングの発生の際、前記サンプルデータのパルス繰返し周波数（ＰＲＦ）を更新する更新手段を、さらに、含む請求項１に記載の超音波診断装置。
【請求項３】
前記更新手段が、下記式
【数１】
0003545728.tif 000007
（ここで、ＰＲＦｎｅｗがエイリアシングの防止のための更新されたＰＲＦ、ＰＲＦｏｌｄが更新以前のＰＲＦ、ｐｅａｋ＿ｉｎｄｅｘが最も速い血流速度成分に対応する最高周波数インデックス、ＮｏｌｄがＰＲＦｏｌｄから発生した周波数分布データにおける最高周波数インデックスである）
を用いて前記パルス繰返し周波数（ＰＲＦ）を更新する請求項２に記載の超音波診断装置。
【請求項４】
前記エイリアシング検出手段によって前記エイリアシングが検出された場合、前記血流速度検出手段が検出血流速度の信頼性が低いと判定する請求項１に記載の超音波診断装置。
【発明の詳細な説明】
【０００１】
【発明が属する技術分野】
本発明は、ドップラー効果を用いて血流の速度を測定する超音波診断装置に関し、特にドップラー効果に基づいた血流速度の測定の際、エイリアシング（aliasing）が発生しないようにパルス繰返し周波数（ＰＲＦ： pulse repetition frequency）を更新する超音波診断装置及びその方法に関する。
【０００２】
【従来の技術】
ドップラー効果を用いた超音波診断システムは、人体内の血流の速度を測定するのに広く用いられている。このシステムは、超音波トランスジューサ列を用いて超音波信号を赤血球などの動くオブジェクトに送信し、それから反射される信号を受信した後、送信信号に対する反射信号の周波数遷移（frequency  shift）または位相遷移（phase shift）を検出することによって、該動くオブジェクトの速度を決定する。
【０００３】
図１は、人体内の血流の速度を測定するための従来の超音波診断装置１０のブロック図である。図１の如く、超音波診断装置１０はトランスジューサ列１０３、前置増幅器１０４、時変利得補償（ＴＧＣ：Time-variable Gain Compensator）増幅器１０５、アナログ-ディジタル（Ａ／Ｄ）変換器１０６、直交復調器（quadrature demodulator）１０７、ディジタル信号処理器（ＤＳＰ）１０８、ディスプレイ１０９及び最高血流速度検出器１１０を含む。
【０００４】
詳記すると、トランスジューサ列１０３は人体内の赤血球などのオブジェクト（図示せず）に超音波信号を発射し、それから反射される信号（ノイズ付き）を受信する。この受信信号は前置増幅器１０４へ入力されて増幅される。前置増幅器１０４の出力はＴＧＣ増幅器１０５へ入力され、ＴＧＣ増幅器１０５は人体内での超音波信号の伝搬距離による信号減衰を補償するために、入力信号を時変利得にて（with time-varying gain）増幅する。ＴＧＣ増幅器１０５の出力はＡ／Ｄ変換器１０６によってディジタル信号に変換される。このディジタル信号は直交復調器１０７によって復調されてディジタル信号処理器１０８に入力される。ディジタル信号処理器１０８はオブジェクト（図示せず）の速度を計算し、該計算速度をユーザーのためにディスプレイ１０９に出力する。
【０００５】
ディジタル信号処理器１０８は、復調信号に対してクラッターフィルタリング（clutter filtering）、高速フーリエ変換（ＦＦＴ）及び後処理を行って速度分布スペクトラムを求める。詳記すると、クラッター（clutter）は血液と比べて遅く移動する組織及び筋肉から反射されるもので、高域通過フィルタによって復調信号から除去される。その後、ディジタル信号処理器１０８において、２Ｎ個の周波数成分に対する周波数分布データが公知のＦＦＴ技法によってフィルタリング信号から生成される。最後に、後処理として、ログ圧縮（log compression）、ベースライン遷移（base-line shifting）などの公知の信号処理が速度分布スペクトラムに対応する周波数分布データに対して行われる。
【０００６】
ドップラー効果を用いて人体内の血流速度を測定するためには、血流が実際に一方向だけに一様に動かない多くの赤血球を含んでいるため、血流の最高値と平均値を測定することが望ましい。詳記すると、一時点にて、各赤血球は相違する速度と移動方向とを見せる。その結果、相違する速度によって、相違するドップラー周波数遷移が引起されるので、任意の周波数の超音波信号が各赤血球に伝送されると、それから反射される（受信される）超音波信号は該周波数近傍で多様な周波数で構成されるだろう。また、受信された超音波信号はオブジェクトから理想的に反射された信号以外にもノイズを有することとなる。勿論、ノイズは血流の最高速度及び平均速度を正確に判定するために全ての反射信号成分から分離されなければならない。通常、反射信号からのノイズの分離のため、ノイズしきい値が設定され、該ノイズしきい値より低い電力レベルを有する受信信号の周波数成分はノイズと見なして除去される。
【０００７】
図２は、目標血流から反射された超音波信号の周波数分布を示すグラフである。同図において、赤血球の移動方向をグラフで示すため、中心周波数がゼロに移動したことに注目されたい。負領域における周波数成分は図１中のトランスジューサから遠ざかる方向に移動する赤血球から反射された超音波信号の周波数遷移を表す。一方、正領域における周波数成分はトランスジューサに近づく方向に移動する赤血球から反射された超音波信号の周波数遷移を表す。公知のように、周波数遷移と移動速度とが比例するので、周波数遷移が検出されると、遷移を起こす動くオブジェクトの速度が計算できる。図２中で、ｆｐがノイズしきい値２０３より大きい電力を有した周波数成分中で中心周波数から最も遠く離れているため（こうして、最も大きい周波数遷移を見せるため）、ｆｐに対応する速度は最高速度値として見なされる。最高速度は図１中の最高血流速度検出器１１０によって検出される。平均速度は、電力レベルがノイズしきい値より大きい周波数成分に対応する全ての速度に対する平均値を計算して求められる。
【０００８】
前述のように、血流の最高速度及び平均速度の計算の際、ノイズしきい値（即ち、ノイズと純粋な反射信号との間を区別する電力レベル）を正確に決定することが肝要である。ノイズしきい値を決定する従来技法の中には、送信周波数より非常に高い周波数範囲、即ち反射された周波数成分のないものと期待される周波数範囲において、周波数成分の平均電力を用いる技法がある。例えば、受信信号の周波数分布から最高周波数の電力レベルの平均がノイズしきい値として用いられた。このような従来方法において用いられた仮説は、ランダムノイズが平坦な電力スペクトラムを有して、望ましい信号が存在しない周波数の電力レベルはノイズの電力レベルであるということである。
【０００９】
しかしながら、従来の方法によれば、ノイズしきい値の決定の際に用いられた周波数成分が正の周波数範囲にあるか負の周波数範囲にあるかが考慮されていない。また、従来の方法は、純粋反射信号が周波数分布の高周波領域には存在しないという仮定に基づいていた。しかしながら、そのような仮定はパルス繰返し周波数（ＰＲＦ）が血流速度より十分に大きい場合のみに有効であり、そうでない場合には、エイリアシングが発生することとなる。即ち、負の高周波数成分の一部が正の周波数領域に現れるか、正の高周波数成分の一部が負の周波数領域に現れることとなる。このようなエイリアシングによって、ノイズしきい値がノイズの電力それ自体ではなく、実際の信号成分を含む場合があるという不都合がある。
【００１０】
【発明が解決しようとする課題】
従って、本発明の目的は、血流速度の測定の際、サンプルデータからのエイリアシングの発生可否を判断する超音波診断装置及びその方法を提供することにある。
【００１１】
本発明の他の目的は、パルス繰返し周波数（ＰＲＦ）を更新することによって、血流速度の測定の際に、サンプルデータから生じるエイリアシングを防止する超音波診断装置及びその方法を提供することにある。
【００１２】
【課題を解決するための手段】
上記目的を達成するために、本発明によれば、超音波診断装置であって、超音波信号を人体内に発射し、それから反射される超音波信号をサンプリングしてサンプルデータを生成するサンプルデータ生成手段と、前記サンプルデータを処理して、各々が対応する電力レベルを有する複数の周波数成分を有する周波数分布データを生成するサンプルデータ処理手段と、前記周波数分布データに基づいて血流の速度を検出する血流速度検出手段と、前記周波数分布データにおけるエイリアシングの発生有無を検出するエイリアシング検出手段とを含み、前記エイリアシング検出手段が、前記周波数分布データを構成する複数の周波数成分の中から最も速い血流速度成分に対応する最高インデックスを求め、前記周波数分布データにおける正の周波数領域と負の周波数領域との間で周波数成分の電力レベルの和がより大きい周波数範囲を選択し、前記選択された周波数範囲と前記最高インデックスとを比較して、エイリアシングの発生有無を判定する超音波診断装置が提供される。
【００１３】
また、本発明によれば、上記の超音波診断装置において、エイリアシングの発生の際、前記サンプルデータのパルス繰返し周波数（ＰＲＦ）を更新する更新手段をさらに含む超音波診断装置が提供される。
【００１４】
また、本発明によれば、上記の超音波診断装置において、前記更新手段が、下記式
【数３】
0003545728.tif 000002
（ここで、ＰＲＦｎｅｗがエイリアシングの防止のための更新されたＰＲＦ、ＰＲＦｏｌｄが更新以前のＰＲＦ、ｐｅａｋ＿ｉｎｄｅｘが最も速い血流速度成分に対応する最高周波数インデックス、ＮｏｌｄがＰＲＦｏｌｄから発生した周波数分布データにおける最高周波数インデックスである）
を用いて前記パルス繰返し周波数（ＰＲＦ）を更新する超音波診断装置が提供される。
【００１５】
また、本発明によれば、上記の超音波診断装置において、前記エイリアシング検出手段によって前記エイリアシングが検出された場合、前記血流速度検出手段が検出血流速度の信頼性が低いと判定する超音波診断装置が提供される。
【００１６】
また、本発明によれば、血流速度を測定する超音波診断方法であって、超音波信号を人体内に発射し、それから反射される超音波信号をサンプリングしてサンプルデータを生成する第１ステップと、前記サンプルデータを処理して、各々が対応する電力レベルを有する複数の周波数成分を有する周波数分布データを生成する第２ステップと、前記周波数分布データに基づいて血流の速度を検出する第３ステップと、前記周波数分布データにおけるエイリアシングの発生有無を検出する第４ステップとを含み、前記第４ステップが、前記周波数分布データを構成する複数の周波数成分の中から最も速い血流速度成分に対応する最高インデックスを求め、前記周波数分布データにおける正の周波数領域と負の周波数領域との間で周波数成分の電力レベルの和がより大きい周波数範囲を選択し、前記選択された周波数範囲と前記最高インデックスとを比較して、エイリアシングの発生有無を判定する超音波診断方法が提供される。
【００１７】
また、本発明によれば、上記の超音波診断方法において、エイリアシングの発生の際、前記サンプルデータのパルス繰返し周波数（ＰＲＦ）を更新する第５ステップをさらに含む超音波診断方法が提供される。
【００１８】
また、本発明によれば、上記の超音波診断方法において、前記第５ステップが、下記式
【数４】
0003545728.tif 000003
（ここで、ＰＲＦｎｅｗがエイリアシングの防止のための更新されたＰＲＦ、ＰＲＦｏｌｄが更新以前のＰＲＦ、ｐｅａｋ＿ｉｎｄｅｘが最も速い血流速度成分に対応する最高周波数インデックス、ＮｏｌｄがＰＲＦｏｌｄから発生した周波数分布データにおける最高周波数インデックスである）
を用いて前記パルス繰返し周波数（ＰＲＦ）を更新する超音波診断方法が提供される。
【００１９】
また、本発明によれば、上記の超音波診断方法において、前記第４ステップによって前記エイリアシングが検出された場合、前記第３ステップが検出血流速度の信頼性が低いと判定する超音波診断方法が提供される。
【００２０】
【発明の実施の形態】
以下、本発明の好適実施例について、添付図面を参照しながらより詳しく説明する。
【００２１】
図３は、本発明による超音波診断装置のブロック図であって、トランスジューサ列３０３、前置増幅器３０４、時変利得補償（ＴＧＣ）増幅器３０５、アナログ-ディジタル（Ａ／Ｄ）変換器３０６、直交復調器３０７、ディジタル信号処理器（ＤＳＰ）３０８、ディスプレイ３０９、最高血流速度検出器３１０及びパルス繰返し周波数（ＰＲＦ）更新器３１１を含む。図３の如く、本発明の超音波診断装置３０はＰＲＦ更新器３１１を除いては、図１中の従来の超音波診断装置１０と類似する。同様に、本発明の超音波診断装置３０は超音波信号をトランスジューサ列３０３を用いて人体の血液に発射し、それから反射された超音波信号を受信し、該受信信号を増幅、復調し、これらの復調信号に対してクラッターフィルタリング、高速フーリエ変換（ＦＦＴ）及び後処理を行って、速度分布スペクトラムを求める。前述のように、クラッターは血液と比べて遅く移動する組織及び筋肉から反射されるもので、高域通過フィルタによって復調信号から除去される。その後、２Ｎ個の周波数成分に対する周波数分布データが公知のＦＦＴ技法によってフィルタリング信号から生成される。
【００２２】
図４は、図３中の超音波診断装置３０のディスプレイ３０９上に各時点にて反射超音波信号の周波数分布を示したグラフである。同図において、各走査線はある時点にて反射超音波信号の２Ｎ個の周波数分布データをグラフで示したものである。例えば、Ｍ番目の走査線は任意の時点ｔＭ にて得られた２Ｎ個の周波数成分の組を表す。Ｍ番目の走査線上の周波数ｆｉの電力レベルはｘ（ｉ，ｔＭ）で表示され、通常、ディスプレイの画面にグレースケールで表示される。電力レベルが高いほど点が明るくなる。また、ｘ（ｉ，ｔＭ）は時点ｔＭにて血流の速度を表す。
【００２３】
前述のように、パルス繰返し周波数（ＰＲＦ）が血流速度より充分に大きくなければ、エイリアシングが発生する。このため、ディジタル信号処理技術分野に公知された現象、即ち、高い負周波数のミラーイメージが高周波領域で現れることとなる。このような状況で、反射信号成分がノイズしきい値に影響を与えるようになるので、ノイズ水準の正確な推定が不可能である。従って、一つの走査線に対するサンプルデータでのエイリアシングの発生有無を検出する方法と、そのようなエイリアシングを防止するためにパルス繰返し周波数（ＰＲＦ）を更新する方法とが要求される。このため、図３の如く、本発明による超音波診断装置３０はパルス繰返し周波数（ＰＲＦ）更新器３１１をさらに含み、パルス繰返し周波数（ＰＲＦ）を自動に更新することによってエイリアシングの発生を防止する。
【００２４】
パルス繰返し周波数（ＰＲＦ）は、エイリアシングが起きないように、パルス繰返し周波数（ＰＲＦ）更新器３１１によって自動的に更新される。このことについて図５を参照して説明する。図５は、本発明の一実施例によって、エイリアシングの発生の際において周波数の分布を示したグラフである。図５中で、Ｘ軸は時間、Ｙ軸は周波数を表す。説明の便宜上、周波数は周波数分布でのインデックス（index）、即ち２Ｎ個の数の中の一つとして表示される。
【００２５】
図５中で、ハッチングを施した部分は、電力レベルがノイズしきい値より大きい周波数成分に該当する。任意の走査線で最高インデックス（peak index）は同一の方向に移動する血液の最も速い成分に該当することを考慮すると、エイリアシングの発生の際、最も高い周波数領域の一部が他の周波数領域に重なり合うので、最高インデックスの符号は血流の方向と一致しなくなる。従って、最高インデックスの符号と血流方向とを比較することによって、エイリアシングが発生したかが判断できる。即ち、反射信号成分を含むことと判定された周波数領域の符号（血流方向表示符号）と最高インデックスの符号とが比較され、エイリアシングの発生可否が判定される。エイリアシングの発生が検出されると、エイリアシングが発生しないように最高インデックスの大きさに応じてパルス繰返し周波数（ＰＲＦ）が更新される。
【００２６】
図５を再度参照して、本発明の特徴をより詳しく説明する。ｊ番目の走査線に対する最高インデックスは８０である。ｊ番目の走査線に対し、ノイズしきい値より大きい最高周波数及び残りの各周波数成分が全て正であるため、エイリアシングが発生しなかったことが分かる。一方、ｉ番目の走査線においては、正の周波数成分の電力レベルの和が負の周波数成分の電力レベルの和より大きいことにも関わらず、最高インデックスはエイリアシングの発生を指す負となる。即ち、負の周波数領域に示された周波数成分はトランスジューサから遠く離れる赤血球によるものではなく、正の高周波成分の重なりに起因したものである。この場合、検出された血流速度は信頼性があるものと考えられる。最大絶対周波数インデックス、即ち周波数分布２Ｎの半分が図５において１２８で示されている。血流が遅いと、例えば、ｊ番目の時点にてはエイリアシングが発生しない。従って、ｊ番目の走査線に対してはパルス繰返し周波数（ＰＲＦ）が調整される必要がない。しかし、ｉ番目の走査線に対しては最高インデックスを増加させるためにパルス繰返し周波数（ＰＲＦ）が増加されなければならない。即ち、エイリアシングを避けるための新たな最高周波数インデックスＮｎｅｗが次のように決定される。
【数５】
0003545728.tif 000004
【００２７】
上記式（１）において、Ｎｏｌｄは現在の最高周波数インデックスである。例えば、図５で、Ｎｏｌｄが周波数分布２Ｎの半分に該当する１２８で、ｉ番目の走査線の最高インデックスが−８０であるため、Ｎｎｅｗは上記式（１）によって１７６で計算される。即ち、最高周波数インデックスはエイリアシングを防止するために１７６に増加されなければならない。最高周波数インデックスはＰＲＦに比例するので、エイリアシングを防止するためのＰＲＦは次の式によって決定される。
【００２８】
【数６】
0003545728.tif 000005
ここで、ＰＲＦｎｅｗはエイリアシングの防止のために更新されたパルス繰返し周波数であり、ＰＲＦｏｌｄは更新以前のパルス繰返し周波数である。
【００２９】
上記式（１）を式（２）に代入すると、ＰＲＦｏｌｄは下記式のようなＰＲＦｎｅｗに整理されることができる。
【００３０】
【数７】
0003545728.tif 000006
ここで、｜ｐｅａｋ＿ｉｎｄｅｘ｜は最高周波数インデックスの絶対値であり、Ｎｏｌｄは更新以前のパルス繰返し周波数ＰＲＦｏｌｄから発生した周波数分布データの最高周波数インデックスである。
【００３１】
図６は、本発明によって走査線の最高インデックスを計算する方法を説明するための流れ図である。ここで、ｉは周波数インデックス、ｘ［ｉ］はｉ番目の周波数成分の電力レベルを表す。走査線に対する正の最高周波数インデックスはＮ−１であり、走査線に対する負の最高周波数インデックスは−Ｎである。
【００３２】
先ず、制御プロセスはｉを０に初期化し（Ｓ７０１）、反射信号が正の周波数範囲または負の周波数範囲のいずれに存在するかを判定する（Ｓ７０２）。反射信号が正の周波数範囲にあれば、制御プロセスはｘ［ｉ］がノイズしきい値より大きいかを判定し（Ｓ７０３）、そうであれば、最高インデックスｐｅａｋ＿ｉｎｄｅｘをｉに更新する（Ｓ７０４）。そうでなければ、制御プロセスはｉが−１と同一であるかを判定し（Ｓ７０５）、そうであれば最高インデックスが検出されたことと見なしてプロセスを終了する。一方、ｉが−１でなければ（Ｓ７０５）、制御プロセスはｉがＮ−１か否かをチェックする（Ｓ７０６）。ｉがＮ−１であれば（Ｓ７０６）、制御プロセスはｉを−Ｎに設定し（Ｓ７０７）、そうでなければｉを１増分させる（Ｓ７０８）。同様に、新たなインデックス値の電力レベルは前述のような方式で計算される。
【００３３】
反射信号が負の周波数範囲に存在する場合、インデックスｉが０から−Ｎまで減少され、次にＮ−１から１まで減少されることを除いては、同一の方式で最高インデックスが決定される。即ち、反射信号が負の周波数範囲に存在すると（Ｓ７０２）、制御プロセスはｘ［ｉ］がノイズしきい値より大きいかを判定し（Ｓ７１０）、そうであれば、最高インデックスをｉに更新し（Ｓ７１１）、そうでなければ、ｉが１であるかを判定する（Ｓ７１２）。ステップＳ７１２にて、ｉが１であれば、制御プロセスは最高インデックスが検出されたことと見なし、そうでなければ、ｉが−Ｎであるかをチェックする（Ｓ７１３）。ステップＳ７１３にて、ｉが−Ｎであれば、制御プロセスはｉをＮ−１と設定し（Ｓ７１４）、そうでなければｉを１減分させる（Ｓ７１５）。
【００３４】
以下、より十分な理解のために、図６の概念を図５に適用して説明する。図５中のｊ番目の走査線において、ｉが０より８０の場合、ｘ［ｉ］がノイズしきい値より大きいため、最高インデックスが更新される。しかし、ｉが８１よりＮ−１、−Ｎより−１の場合は、ｘ［ｉ］がノイズしきい値以下であるため、最高インデックスは更新されない。従って、全てのインデックスに対して電力レベルが考慮された後に、最高インデックスは８０に決定される。一方、図５中のｉ番目の走査線において、最高インデックスはｉが０よりＮ−１、−Ｎより−８０である間に更新される。しかし、ｉが−７９より−１の場合、最高インデックスは更新されない。従って、全てのインデックスに対して電力レベルを検査した後に、最高インデックスは−８０となる。
【００３５】
図７は、本発明による走査線のパルス繰返し周波数（ＰＲＦ）を更新する方法を説明するための流れ図である。最高インデックスは図６の過程を通じて計算される（Ｓ８０１）。その後、制御プロセスは反射信号が正の周波数範囲または負の周波数範囲のいずれに存在するかを判定し（Ｓ８０２）、正の周波数範囲に存在すれば、最高インデックスの符号が正であるかをチェックし（Ｓ８０３）、正の場合は、ＰＲＦは更新されない。即ち、実際の信号成分が正の周波数領域に存在して最高インデックスが正であれば、制御プロセスはエイリアシングが発生しないものと見なして、ＰＲＦを更新せずプロセスを終了する。
【００３６】
最高インデックスが負であれば、エイリアシングが発生したことで、新たな最高周波数インデックス、即ち、式（１）におけるＮｎｅｗが計算される（Ｓ８０５）。式（２）によってエイリアシングを誘発しないＮｎｅｗが計算され（Ｓ８０６）、プロセスは終了される。
【００３７】
一方、反射信号が負の周波数範囲に存在すれば（Ｓ８０２）、制御プロセスは最高インデックスが負であるのかを判定する（Ｓ８０４）、最高インデックスが負であれば、制御プロセスはＰＲＦを更新せず、そうでなければ、新たな最高周波数インデックス、即ち、式（１）中のＮｎｅｗを計算する（Ｓ８０５）。この新たな最高周波数インデックスによって、新たなＰＲＦ、即ち式（３）中のＰＲＦｎｅｗが計算される。
【００３８】
図７に示された実施例では、ステップＳ８０５にて式（１）を適用し、ステップＳ８０６にて式（２）を適用することと説明したが、ＰＲＦｎｅｗはこれらの式（１）及び式（２）を用いず、式（３）を用いて直ぐ計算することができる。
【００３９】
上記において、本発明の好適な実施の形態について説明したが、本発明の請求範囲を逸脱することなく、当業者は種々の改変をなし得るであろう。
【００４０】
【発明の効果】
従って、本発明によれば、 血流速度の測定の際、サンプルデータからのエイリアシングの発生有無を判断することができ、また、パルス繰返し周波数（ＰＲＦ）を更新することによって、血流速度の測定の際にサンプルデータから生じるエイリアシングを防止することができる。
【図面の簡単な説明】
【図１】人体内の血流の速度を測定するための従来の超音波診断装置のブロック図である。
【図２】目標血流から反射された超音波信号の周波数分布を示すグラフである。
【図３】本発明による血流速度測定向け超音波診断装置のブロック図である。
【図４】図３中の超音波診断装置のディスプレイ上に各時点にて反射超音波信号の周波数分布を示したグラフである。
【図５】本発明の一実施例によって、エイリアシングの発生の際において周波数の分布を示したグラフである。
【図６】本発明によって走査線の最高インデックスを計算する方法を説明するための流れ図である。
【図７】本発明による走査線のパルス繰返し周波数（ＰＲＦ）を更新する方法を説明するための流れ図である。
【符号の説明】
３０  超音波診断装置
３０３  トランスジューサ列
３０４  前置増幅器
３０５  時変利得補償（ＴＧＣ）増幅器
３０６  Ａ／Ｄ変換器
３０７  直交復調器
３０８  ディジタル信号処理器
３０９  ディスプレイ
３１０  最高血流速度検出器
３１１  パルス繰返し周波数（ＰＲＦ）更新器
【図１】
0003545728.tif 000008
【図２】
0003545728.tif 000009
【図３】
0003545728.tif 000010
【図４】
0003545728.tif 000011
【図５】
0003545728.tif 000012
【図６】
0003545728.tif 000013
【図７】
0003545728.tif 000014